(57)【要約】【課題】無線ＬＡＮアクセスポイントを自動的に設定し且つローミングを素早く行う。【解決手段】本発明では、無線ＬＡＮステーション１が無線ＬＡＮアクセスポイント３−１〜３−ｎのサービスエリアのうちの最適無線ＬＡＮアクセスポイント３−１を自動的に設定するため、ユーザは、無線ＬＡＮアクセスポイント３−１〜３−ｎに通信を行うときに必要なデータを考慮しなくてもよい。本発明では、無線ＬＡＮステーション１がＧＰＳ衛星１５０と通信するときの通信方式と、無線ＬＡＮステーション１が無線ＬＡＮステーション２と通信を行うときの通信方式とが異なる。このため、無線ＬＡＮアクセスポイント３−１〜３−ｎのサービスエリアに無線ＬＡＮステーション１が存在するか否かに関わらず、無線ＬＡＮステーション１が最適無線ＬＡＮアクセスポイント３−１を設定することができ、ローミングを素早く行うことができる。これにより、サービスエリアに無線ＬＡＮステーション１が存在するときに、ユーザは、ただちに無線ＬＡＮステーション１を用いて無線ＬＡＮ通信を行うことができる。【選択図】  図１
2004186762.tif 000002
【特許請求の範囲】
【請求項１】
（ａ）  電波を用いて自己の位置を計測するステップと、
（ｂ）  無線通信網に接続された複数の無線ＬＡＮアクセスポイントと前記複数の無線ＬＡＮアクセスポイントの設置位置と前記複数の無線ＬＡＮアクセスポイントに通信を行うときに必要な接続設定データとを対応付ける地図データが格納された地図データベースを参照して、前記複数の無線ＬＡＮアクセスポイントの中から、前記位置に最も近い最適無線ＬＡＮアクセスポイントを選択するステップと、
（ｃ）  前記最適無線ＬＡＮアクセスポイントの接続設定データに基づいて通信を行うステップと、
（ｄ）  前記通信が行われたときに、前記無線通信網に接続されたプロバイダから最新の地図データをダウンロードし、前記最新の地図データを前記地図データとして前記地図データベースに格納するステップと
を具備する無線ＬＡＮアクセスポイント自動接続方法。
【請求項２】
（ａ）  電波を用いて自己の位置と無線通信網に接続された複数の無線ＬＡＮアクセスポイントの設置位置とを計測し、前記位置から前記設置位置までの距離を算出するステップと、
（ｂ）  前記複数の無線ＬＡＮアクセスポイントと前記複数の無線ＬＡＮアクセスポイントに通信を行うときに必要な接続設定データと前記複数の無線ＬＡＮアクセスポイントの許容伝送距離とを対応付ける地図データが格納された地図データベースを参照して、前記複数の無線ＬＡＮアクセスポイントの中から、前記距離が前記許容伝送距離を超えず且つ前記位置に最も近い最適無線ＬＡＮアクセスポイントを選択するステップと、
（ｃ）  前記最適無線ＬＡＮアクセスポイントの接続設定データに基づいて通信を行うステップと
（ｄ）  前記通信が行われたときに、前記無線通信網に接続されたプロバイダから最新の地図データをダウンロードし、前記最新の地図データを前記地図データとして前記地図データベースに格納するステップと
を具備する無線ＬＡＮアクセスポイント自動接続方法。
【請求項３】
請求項１又は２に記載の無線ＬＡＮアクセスポイント自動接続方法において、
更に、
（ｅ）  前記最適無線ＬＡＮアクセスポイントの接続設定データを設定テーブルに設定するステップを具備し、
前記（ｃ）ステップは、前記設定テーブルを参照して通信を行うステップを含む
無線ＬＡＮアクセスポイント自動接続方法。
【請求項４】
請求項１〜３のいずれか一項に記載の無線ＬＡＮアクセスポイント自動接続方法において、
前記地図データベースには、設定情報が更に格納され、
前記設定情報は、前記複数の無線ＬＡＮアクセスポイントの中から、予め料金設定された無線ＬＡＮアクセスポイント群を優先的に選択させる情報であり、
前記（ｂ）ステップは、前記地図データベースを参照して、前記無線ＬＡＮアクセスポイント群の中から、前記最適無線ＬＡＮアクセスポイントを選択するステップを含む
無線ＬＡＮアクセスポイント自動接続方法。
【請求項５】
請求項１〜３のいずれか一項に記載の無線ＬＡＮアクセスポイント自動接続方法において、
前記地図データベースには、設定情報が更に格納され、
前記設定情報は、前記複数の無線ＬＡＮアクセスポイントのサービスエリアの中から、予め決められたサービスエリア群を優先的に選択させる情報であり、
前記（ｂ）ステップは、前記地図データベースを参照して、前記サービスエリア群に設置された無線ＬＡＮアクセスポイントの中から、前記最適無線ＬＡＮアクセスポイントを選択するステップを含む
無線ＬＡＮアクセスポイント自動接続方法。
【請求項６】
請求項１〜３のいずれか一項に記載の無線ＬＡＮアクセスポイント自動接続方法において、
前記地図データベースには、設定情報が更に格納され、
前記設定情報は、前記複数の無線ＬＡＮアクセスポイントから受ける受信電波の電界強度の中から、設定電界強度よりも強い電界強度である受信電波を送信した無線ＬＡＮアクセスポイント群を優先的に選択させる情報であり、
前記（ｂ）ステップは、前記地図データベースを参照して、前記無線ＬＡＮアクセスポイント群の中から、前記最適無線ＬＡＮアクセスポイントを選択するステップを含む
無線ＬＡＮアクセスポイント自動接続方法。
【請求項７】
請求項１〜３のいずれか一項に記載の無線ＬＡＮアクセスポイント自動接続方法において、
前記地図データベースには、設定情報が更に格納され、
前記設定情報は、前記複数の無線ＬＡＮアクセスポイントから受ける受信電波の電界強度の中から、設定電界強度よりも強い電界強度である受信電波を送信した無線ＬＡＮアクセスポイント群を優先的に選択させる情報であり、
前記（ｃ）ステップは、前記複数の無線ＬＡＮアクセスポイントと前回通信を行ったときの前記電界強度を前記複数の無線ＬＡＮアクセスポイントに対応付けて前記地図データベースに格納するステップを含み、
前記（ｂ）ステップは、前記地図データベースを参照して、前記無線ＬＡＮアクセスポイント群の中から、前記最適無線ＬＡＮアクセスポイントを選択するステップを含む
無線ＬＡＮアクセスポイント自動接続方法。
【請求項８】
請求項１〜３のいずれか一項に記載の無線ＬＡＮアクセスポイント自動接続方法において、
前記地図データベースには、設定情報が更に格納され、
前記設定情報は、前記複数の無線ＬＡＮアクセスポイントのトラフィック量の中から、設定トラフィック量よりも低いトラフィック量である無線ＬＡＮアクセスポイント群を優先的に選択させる情報であり、
前記（ｂ）ステップは、前記地図データベースを参照して、前記無線ＬＡＮアクセスポイント群の中から、前記最適無線ＬＡＮアクセスポイントを選択するステップを含む
無線ＬＡＮアクセスポイント自動接続方法。
【請求項９】
請求項１〜３のいずれか一項に記載の無線ＬＡＮアクセスポイント自動接続方法において、
前記地図データベースには、設定情報が更に格納され、
前記設定情報は、前記複数の無線ＬＡＮアクセスポイントのトラフィック量の中から、設定トラフィック量よりも低いトラフィック量である無線ＬＡＮアクセスポイント群を優先的に選択させる情報であり、
前記（ｃ）ステップは、前記複数の無線ＬＡＮアクセスポイントと前回通信を行ったときの前記トラフィック量を前記複数の無線ＬＡＮアクセスポイントに対応付けて前記地図データベースに格納するステップを含み、
前記（ｂ）ステップは、前記地図データベースを参照して、前記無線ＬＡＮアクセスポイント群の中から、前記最適無線ＬＡＮアクセスポイントを選択するステップを含む
無線ＬＡＮアクセスポイント自動接続方法。
【請求項１０】
請求項１〜９のいずれか一項に記載の無線ＬＡＮアクセスポイント自動接続方法において、
前記複数の無線ＬＡＮアクセスポイントのサービスエリアに存在しないときに、前記（ａ）ステップと前記（ｂ）ステップとを実行するステップと、
前記複数の無線ＬＡＮアクセスポイントのサービスエリアに存在するときに、前記（ｃ）ステップを実行するステップと
を更に具備する無線ＬＡＮアクセスポイント自動接続方法。
【請求項１１】
請求項１〜１０のいずれか一項に記載の無線ＬＡＮアクセスポイント自動接続方法において、
前記電波は、ＧＰＳ衛星と通信を行うときに用いられる
無線ＬＡＮアクセスポイント自動接続方法。
【請求項１２】
請求項１、３〜１０のいずれか一項に記載の無線ＬＡＮアクセスポイント自動接続方法において、
前記電波は、ＰＨＳ通信を行うときに用いられる
無線ＬＡＮアクセスポイント自動接続方法。
【請求項１３】
請求項１〜１２のいずれか一項に記載の無線ＬＡＮアクセスポイント自動接続方法において、
前記（ｄ）ステップは、前記通信が行われたときに、前記無線通信網に接続された複数のプロバイダの中から、１つの前記プロバイダを検索し、前記プロバイダから前記最新の地図データをダウンロードするステップを含む
無線ＬＡＮアクセスポイント自動接続方法。
【請求項１４】
請求項１〜１３のいずれか一項に記載の無線ＬＡＮアクセスポイント自動接続方法において、
前記複数の無線ＬＡＮアクセスポイントには、ＱｏＳ（Ｑｕａｌｉｔｙ  ｏｆ
Ｓｅｒｖｉｃｅ）が確保できる使用が事前に予約され、
前記（ｃ）のステップは、前記ＱｏＳが保証された前記通信を行うステップを含む
無線ＬＡＮアクセスポイント自動接続方法。
【請求項１５】
請求項１〜１４のいずれか一項に記載の無線ＬＡＮアクセスポイント自動接続方法において、
前記地図データは、前記複数の無線ＬＡＮアクセスポイントと前記複数の無線ＬＡＮアクセスポイントの設置位置と前記接続設定データと前記複数の無線ＬＡＮアクセスポイントに近隣する建物に関するサービス情報とを対応付け、
前記（ｂ）ステップは、地図データベースを参照して、前記複数の無線ＬＡＮアクセスポイントのうちの前記位置に最も近い無線ＬＡＮアクセスポイントの前記サービス情報を表示するステップを含む
無線ＬＡＮアクセスポイント自動接続方法。
【請求項１６】
請求項１〜１５のいずれか一項に記載の無線ＬＡＮアクセスポイント自動接続方法において、
前記（ｃ）ステップは、相手先と前記相手先に関する相手先情報とキーワードとを対応付ける通信テーブルを参照し、前記通信を行ったときに得られた情報に前記キーワードが含まれる場合、前記キーワードに対応付けられた前記相手先に前記位置を通知するステップを含む
無線ＬＡＮアクセスポイント自動接続方法。
【請求項１７】
電波を用いて自己の位置を計測する計測部と、
無線通信網に接続された複数の無線ＬＡＮアクセスポイントと前記複数の無線ＬＡＮアクセスポイントの設置位置と前記複数の無線ＬＡＮアクセスポイントに通信を行うときに必要な接続設定データとを対応付ける地図データが格納された地図データベースと、
前記地図データベースを参照して、前記複数の無線ＬＡＮアクセスポイントの中から、前記位置に最も近い最適無線ＬＡＮアクセスポイントを選択する選択部と、
前記最適無線ＬＡＮアクセスポイントの接続設定データに基づいて通信を行う通信部とを具備し、
前記通信が行われたときに、前記通信部は、前記無線通信網に接続されたプロバイダから最新の地図データをダウンロードし、前記最新の地図データを前記地図データとして前記地図データベースに格納する
無線ＬＡＮステーション。
【請求項１８】
電波を用いて自己の位置と無線通信網に接続された複数の無線ＬＡＮアクセスポイントの設置位置とを計測し、前記位置から前記設置位置までの距離を算出する計測部と、
前記複数の無線ＬＡＮアクセスポイントと前記複数の無線ＬＡＮアクセスポイントに通信を行うときに必要な接続設定データと前記複数の無線ＬＡＮアクセスポイントの許容伝送距離とを対応付ける地図データが格納された地図データベースと、
前記地図データベースを参照して、前記複数の無線ＬＡＮアクセスポイントの中から、前記距離が前記許容伝送距離を超えず且つ前記位置に最も近い最適無線ＬＡＮアクセスポイントを選択する選択部と、
前記最適無線ＬＡＮアクセスポイントの接続設定データに基づいて通信を行う通信部とを具備し、
前記通信が行われたときに、前記通信部は、前記無線通信網に接続されたプロバイダから最新の地図データをダウンロードし、前記最新の地図データを前記地図データとして前記地図データベースに格納する
無線ＬＡＮステーション。
【請求項１９】
請求項１７又は１８に記載の無線ＬＡＮステーションにおいて、
更に、
設定テーブルと、
前記最適無線ＬＡＮアクセスポイントの接続設定データを前記設定テーブルに設定する設定部とを具備し、
前記通信部は、前記設定テーブルを参照して通信を行う
無線ＬＡＮステーション。
【請求項２０】
請求項１７〜１９のいずれか一項に記載の無線ＬＡＮステーションにおいて、
前記地図データベースには、設定情報が更に格納され、
前記設定情報は、前記複数の無線ＬＡＮアクセスポイントの中から、予め料金設定された無線ＬＡＮアクセスポイント群を前記選択部に優先的に選択させる情報であり、
前記選択部は、前記地図データベースを参照して、前記無線ＬＡＮアクセスポイント群の中から、前記最適無線ＬＡＮアクセスポイントを選択する
無線ＬＡＮステーション。
【請求項２１】
請求項１７〜１９のいずれか一項に記載の無線ＬＡＮステーションにおいて、
前記地図データベースには、設定情報が更に格納され、
前記設定情報は、前記複数の無線ＬＡＮアクセスポイントのサービスエリアの中から、予め決められたサービスエリア群を優先的に選択させる情報であり、
前記選択部は、前記地図データベースを参照して、前記サービスエリア群に設置された無線ＬＡＮアクセスポイントの中から、前記最適無線ＬＡＮアクセスポイントを選択する
無線ＬＡＮステーション。
【請求項２２】
請求項１７〜１９のいずれか一項に記載の無線ＬＡＮステーションにおいて、
前記地図データベースには、設定情報が更に格納され、
前記設定情報は、前記通信部が前記複数の無線ＬＡＮアクセスポイントから受ける受信電波の電界強度の中から、設定電界強度よりも強い電界強度である受信電波を送信した無線ＬＡＮアクセスポイント群を前記選択部に優先的に選択させる情報であり、
前記選択部は、前記地図データベースを参照して、前記無線ＬＡＮアクセスポイント群の中から、前記最適無線ＬＡＮアクセスポイントを選択する
無線ＬＡＮステーション。
【請求項２３】
請求項１７〜１９のいずれか一項に記載の無線ＬＡＮステーションにおいて、
前記地図データベースには、設定情報が更に格納され、
前記設定情報は、前記通信部が前記複数の無線ＬＡＮアクセスポイントから受ける受信電波の電界強度の中から、設定電界強度よりも強い電界強度である受信電波を送信した無線ＬＡＮアクセスポイント群を前記選択部に優先的に選択させる情報であり、
前記通信部は、前記複数の無線ＬＡＮアクセスポイントと前回通信を行ったときの前記電界強度を前記複数の無線ＬＡＮアクセスポイントに対応付けて前記地図データベースに格納し、
前記選択部は、前記地図データベースを参照して、前記無線ＬＡＮアクセスポイント群の中から、前記最適無線ＬＡＮアクセスポイントを選択する
無線ＬＡＮステーション。
【請求項２４】
請求項１７〜１９のいずれか一項に記載の無線ＬＡＮステーションにおいて、
前記地図データベースには、設定情報が更に格納され、
前記設定情報は、前記複数の無線ＬＡＮアクセスポイントのトラフィック量の中から、設定トラフィック量よりも低いトラフィック量である無線ＬＡＮアクセスポイント群を前記選択部に優先的に選択させる情報であり、
前記選択部は、前記地図データベースを参照して、前記無線ＬＡＮアクセスポイント群の中から、前記最適無線ＬＡＮアクセスポイントを選択する
無線ＬＡＮステーション。
【請求項２５】
請求項１７〜１９のいずれか一項に記載の無線ＬＡＮステーションにおいて、
前記地図データベースには、設定情報が更に格納され、
前記設定情報は、前記複数の無線ＬＡＮアクセスポイントのトラフィック量の中から、設定トラフィック量よりも低いトラフィック量である無線ＬＡＮアクセスポイント群を前記選択部に優先的に選択させる情報であり、
前記通信部は、前記複数の無線ＬＡＮアクセスポイントと前回通信を行ったときの前記トラフィック量を前記複数の無線ＬＡＮアクセスポイントに対応付けて前記地図データベースに格納し、
前記選択部は、前記地図データベースを参照して、前記無線ＬＡＮアクセスポイント群の中から、前記最適無線ＬＡＮアクセスポイントを選択する
無線ＬＡＮステーション。
【請求項２６】
請求項１７〜２５のいずれか一項に記載の無線ＬＡＮステーションにおいて、
更に、
前記計測部と前記選択部と前記通信部とに電源を供給する電源部を具備し、
前記複数の無線ＬＡＮアクセスポイントのサービスエリアに存在しないときに、
前記選択部は、前記通信部に供給される電源が停止されるように前記電源部を制御し、
前記計測部は、前記電波を用いて前記位置を計測し、
前記選択部は、前記地図データベースを参照して、前記複数の無線ＬＡＮアクセスポイントの中から、前記最適無線ＬＡＮアクセスポイントを選択し、
前記複数の無線ＬＡＮアクセスポイントのサービスエリアに存在するときに、
前記選択部は、前記通信部に電源が供給されるように前記電源部を制御し、
前記通信部は、前記最適無線ＬＡＮアクセスポイントの接続設定データに基づいて通信を行う
無線ＬＡＮステーション。
【請求項２７】
請求項１７〜２６のいずれか一項に記載の無線ＬＡＮステーションにおいて、
前記電波は、ＧＰＳ衛星と通信を行うときに用いられる
無線ＬＡＮステーション。
【請求項２８】
請求項１７、１９〜２６のいずれか一項に記載の無線ＬＡＮステーションにおいて、
前記電波は、ＰＨＳ通信を行うときに用いられる
無線ＬＡＮステーション。
【請求項２９】
請求項１７〜２８のいずれか一項に記載の無線ＬＡＮステーションにおいて、
前記通信が行われたときに、前記通信部は、前記無線通信網に接続された複数のプロバイダの中から、１つの前記プロバイダを検索し、前記プロバイダから前記最新の地図データをダウンロードする
無線ＬＡＮステーション。
【請求項３０】
請求項１７〜２９のいずれか一項に記載の無線ＬＡＮステーションにおいて、
前記複数の無線ＬＡＮアクセスポイントには、ＱｏＳ（Ｑｕａｌｉｔｙ  ｏｆ
Ｓｅｒｖｉｃｅ）が確保できる使用が事前に予約され、
前記通信部は、前記ＱｏＳが保証された前記通信を行う
無線ＬＡＮステーション。
【請求項３１】
請求項１７〜３０のいずれか一項に記載の無線ＬＡＮステーションにおいて、
前記地図データは、前記複数の無線ＬＡＮアクセスポイントと前記複数の無線ＬＡＮアクセスポイントの設置位置と前記接続設定データと前記複数の無線ＬＡＮアクセスポイントに近隣する建物に関するサービス情報とを対応付け、
更に、
地図データベースを参照して、前記複数の無線ＬＡＮアクセスポイントのうちの前記位置に最も近い無線ＬＡＮアクセスポイントの前記サービス情報を表示する表示制御部を具備する
無線ＬＡＮステーション。
【請求項３２】
請求項１７〜３１のいずれか一項に記載の無線ＬＡＮステーションにおいて、
更に、
相手先と前記相手先に関する相手先情報とキーワードとを対応付ける通信テーブルを具備し、
前記通信部は、前記通信テーブルを参照し、前記通信を行ったときに得られた情報に前記キーワードが含まれる場合、前記キーワードに対応付けられた前記相手先に前記位置を通知する
無線ＬＡＮステーション。
【発明の詳細な説明】
【０００１】
【発明の属する技術分野】
本発明は、無線ＬＡＮアクセスポイント自動接続方法及び無線ＬＡＮステーションに関し、特に、無線ＬＡＮアクセスポイントを選択する無線ＬＡＮアクセスポイント自動接続方法及び無線ＬＡＮステーションに関する。
【０００２】
【従来の技術】
無線端末（ステーション）を用いて他の無線端末（ステーション）と通信を行うときに、そのステーションとアクセスポイントとを接続する技術が知られている（例えば、特許文献１〜特許文献６参照。）。
【０００３】
ステーションとしては、無線ＬＡＮ（Ｌｏｃａｌ  Ａｒｅａ  Ｎｅｔｗｏｒｋ）ステーションが例示される。無線ＬＡＮステーションを用いて他の無線ＬＡＮステーションと通信（無線ＬＡＮ通信）を行うときに、その無線ＬＡＮステーションと無線ＬＡＮアクセスポイントとが接続されるように、無線ＬＡＮアクセスポイントを設定しておく必要がある。
【０００４】
例えば、無線ＬＡＮ通信が可能なサービスエリア（通信可能なサービスエリア）から無線ＬＡＮステーションが外れた場合（サービスエリアに無線ＬＡＮステーションが存在しない場合）、複数の無線ＬＡＮアクセスポイントの設置位置を把握していても自己（無線ＬＡＮステーション）の位置を把握できないため、無線ＬＡＮアクセスポイントを設定することが困難である。このため、サービスエリアに無線ＬＡＮステーションが存在するときに、ユーザは、ただちに無線ＬＡＮステーションを用いて無線ＬＡＮ通信を行うことができない。無線ＬＡＮアクセスポイントを自動的に設定（接続）し且つローミング（前回設定した無線ＬＡＮアクセスポイントから今回設定する無線ＬＡＮアクセスポイントに切り替える）を素早く行うことが望まれる。
【０００５】
【特許文献１】
特開平１１−２０１７６９号公報
【特許文献２】
特開２００１−３０８８６６号公報
【特許文献３】
特開２０００−１９４６３３号公報
【特許文献４】
特開２００１−０９５０５８号公報
【特許文献５】
特開２００２−０２６９３１号公報
【特許文献６】
特開２００２−１３５８２４号公報
【０００６】
【発明が解決しようとする課題】
本発明の目的は、無線ＬＡＮアクセスポイントを自動的に設定／接続し且つローミングを素早く行うことができる無線ＬＡＮアクセスポイント自動接続方法及び無線ＬＡＮステーションを提供することにある。
本発明の他の目的は、ユーザが希望する無線ＬＡＮアクセスポイントを優先して自動的に設定／接続することができる無線ＬＡＮアクセスポイント自動接続方法及び無線ＬＡＮステーションを提供することにある。
本発明の更に他の目的は、消費電力を低減することができる無線ＬＡＮアクセスポイント自動接続方法及び無線ＬＡＮステーションを提供することにある。
【０００７】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００８】
本発明の無線ＬＡＮアクセスポイント自動接続方法は、第１無線ＬＡＮステーション（１）が第２無線ＬＡＮステーション（２）と通信を行うときに、無線通信網（１００）に接続された複数の無線ＬＡＮアクセスポイント（３−１〜３−ｎ）のうちの最適無線ＬＡＮアクセスポイント（３−１）に自動的に接続する方法である。
【０００９】
本発明（第１実施形態）の無線ＬＡＮアクセスポイント自動接続方法は、以下のステップを具備する。
（ａ）  第１無線ＬＡＮステーション（１）は、電波を用いて自己の位置を計測する（Ｓ１）。
第１無線ＬＡＮステーション（１）は、地図データ（２０）が格納された地図データベース（１５）を備えている。地図データ（２０）は、複数の無線ＬＡＮアクセスポイント（３−１〜３−ｎ）と、複数の無線ＬＡＮアクセスポイント（３−１〜３−ｎ）の設置位置（２１）と、複数の無線ＬＡＮアクセスポイント（３−１〜３−ｎ）に通信を行うときに必要な接続設定データ（２２）とを対応付ける。
（ｂ）  第１無線ＬＡＮステーション（１）は、地図データベース（１５）を参照して、複数の無線ＬＡＮアクセスポイント（３−１〜３−ｎ）の中から、自己の位置に最も近い最適無線ＬＡＮアクセスポイント（３−１）を選択する（Ｓ２）。
（ｃ）  第１無線ＬＡＮステーション（１）は、最適無線ＬＡＮアクセスポイント（３−１）の接続設定データ（２２）に基づいて通信を行う（Ｓ４）。
（ｄ）  第１無線ＬＡＮステーション（１）は、通信が行われたときに、無線通信網（１００）に接続されたプロバイダから最新の地図データ（２０）をダウンロードし、最新の地図データ（２０）を地図データ（２０）として地図データベース（１５）に格納する（Ｓ４）。
【００１０】
本発明（第６実施形態）の無線ＬＡＮアクセスポイント自動接続方法は、以下のステップを具備する。
（ａ）  第１無線ＬＡＮステーション（１）は、電波を用いて自己の位置と無線通信網（１００）に接続された複数の無線ＬＡＮアクセスポイント（３−１〜３−ｎ）の設置位置とを計測し、自己の位置から設置位置までの距離を算出する（Ｓ１）。
第１無線ＬＡＮステーション（１）は、地図データ（２０）が格納された地図データベース（１５）を備えている。地図データ（２０）は、複数の無線ＬＡＮアクセスポイント（３−１〜３−ｎ）と、複数の無線ＬＡＮアクセスポイント（３−１〜３−ｎ）に通信を行うときに必要な接続設定データ（２２）と、複数の無線ＬＡＮアクセスポイント（３−１〜３−ｎ）の許容伝送距離（２３）とを対応付ける。
（ｂ）  第１無線ＬＡＮステーション（１）は、地図データベース（１５）を参照して、複数の無線ＬＡＮアクセスポイント（３−１〜３−ｎ）の中から、距離が許容伝送距離（２３）を超えず且つ自己の位置に最も近い最適無線ＬＡＮアクセスポイント（３−１）を選択する（Ｓ２）。
（ｃ）  第１無線ＬＡＮステーション（１）は、最適無線ＬＡＮアクセスポイント（３−１）の接続設定データ（２２）に基づいて通信を行う（Ｓ４）。
（ｄ）  第１無線ＬＡＮステーション（１）は、通信が行われたときに、無線通信網（１００）に接続されたプロバイダから最新の地図データ（２０）をダウンロードし、最新の地図データ（２０）を地図データ（２０）として地図データベース（１５）に格納する（Ｓ４）。
【００１１】
本発明（第１実施形態、第６実施形態）の無線ＬＡＮアクセスポイント自動接続方法は、更に、以下のステップを具備する。
（ｅ）  第１無線ＬＡＮステーション（１）は、最適無線ＬＡＮアクセスポイント（３−１）の接続設定データ（２２）を設定テーブル（１６）に設定する（ステップＳ３）。
（ｃ）ステップ（Ｓ４）にて、第１無線ＬＡＮステーション（１）は、設定テーブル（１６）を参照して通信を行う。
【００１２】
本発明（第２実施形態）の無線ＬＡＮアクセスポイント自動接続方法において、地図データベース（１５）には、ユーザにより設定された設定情報（３０）が更に格納されている。設定情報（３０）は、複数の無線ＬＡＮアクセスポイント（３−１〜３−ｎ）の中から、予め料金設定された無線ＬＡＮアクセスポイント群を第１無線ＬＡＮステーション（１）に優先的に選択させる情報である。
（ｂ）ステップ（Ｓ２）にて、第１無線ＬＡＮステーション（１）は、地図データベース（１５）を参照して、無線ＬＡＮアクセスポイント群の中から、最適無線ＬＡＮアクセスポイント（３−１）を選択する。
【００１３】
本発明（第３実施形態）の無線ＬＡＮアクセスポイント自動接続方法において、地図データベース（１５）には、ユーザにより設定された設定情報（３０）が更に格納されている。設定情報（３０）は、複数の無線ＬＡＮアクセスポイント（３−１〜３−ｎ）のサービスエリアの中から、予め決められたサービスエリア群を第１無線ＬＡＮステーション（１）に優先的に選択させる情報である。
（ｂ）ステップ（Ｓ２）、第１無線ＬＡＮステーション（１）は、地図データベース（１５）を参照して、サービスエリア群に設置された無線ＬＡＮアクセスポイントの中から、最適無線ＬＡＮアクセスポイント（３−１）を選択する。
【００１４】
本発明（第４実施形態）の無線ＬＡＮアクセスポイント自動接続方法において、地図データベース（１５）には、ユーザにより設定された設定情報（３０）が更に格納されている。設定情報（３０）は、複数の無線ＬＡＮアクセスポイント（３−１〜３−ｎ）から受ける受信電波の電界強度の中から、設定電界強度よりも強い電界強度である受信電波を送信した無線ＬＡＮアクセスポイント群を第１無線ＬＡＮステーション（１）に優先的に選択させる情報である。
（ｂ）ステップ（Ｓ２）にて、第１無線ＬＡＮステーション（１）は、地図データベース（１５）を参照して、無線ＬＡＮアクセスポイント群の中から、最適無線ＬＡＮアクセスポイント（３−１）を選択する。
【００１５】
本発明（第４実施形態）の無線ＬＡＮアクセスポイント自動接続方法において、地図データベース（１５）には、ユーザにより設定された設定情報（３０）が更に格納されている。設定情報（３０）は、複数の無線ＬＡＮアクセスポイント（３−１〜３−ｎ）から受ける受信電波の電界強度の中から、設定電界強度よりも強い電界強度である受信電波を送信した無線ＬＡＮアクセスポイント群を第１無線ＬＡＮステーション（１）に優先的に選択させる情報である。
（ｃ）ステップ（Ｓ４）にて、複数の無線ＬＡＮアクセスポイント（３−１〜３−ｎ）と前回通信を行ったときの電界強度を複数の無線ＬＡＮアクセスポイント（３−１〜３−ｎ）に対応付けて地図データベース（１５）に格納する。
（ｂ）ステップ（Ｓ２）にて、第１無線ＬＡＮステーション（１）は、地図データベース（１５）を参照して、無線ＬＡＮアクセスポイント群の中から、最適無線ＬＡＮアクセスポイント（３−１）を選択する。
【００１６】
本発明（第５実施形態）の無線ＬＡＮアクセスポイント自動接続方法において、地図データベース（１５）には、ユーザにより設定された設定情報（３０）が更に格納されている。設定情報（３０）は、複数の無線ＬＡＮアクセスポイント（３−１〜３−ｎ）のトラフィック量（３５）の中から、設定トラフィック量よりも低いトラフィック量（３５）である無線ＬＡＮアクセスポイント群を第１無線ＬＡＮステーション（１）に優先的に選択させる情報である。
（ｂ）ステップ（Ｓ２）にて、第１無線ＬＡＮステーション（１）は、地図データベース（１５）を参照して、無線ＬＡＮアクセスポイント群の中から、最適無線ＬＡＮアクセスポイント（３−１）を選択する。
【００１７】
本発明（第５実施形態）の無線ＬＡＮアクセスポイント自動接続方法において、地図データベース（１５）には、ユーザにより設定された設定情報（３０）が更に格納されている。設定情報（３０）は、複数の無線ＬＡＮアクセスポイント（３−１〜３−ｎ）のトラフィック量（３５）の中から、設定トラフィック量よりも低いトラフィック量（３５）である無線ＬＡＮアクセスポイント群を第１無線ＬＡＮステーション（１）に優先的に選択させる情報である。
（ｃ）ステップ（Ｓ４）にて、第１無線ＬＡＮステーション（１）は、複数の無線ＬＡＮアクセスポイント（３−１〜３−ｎ）と前回通信を行ったときのトラフィック量（３５）を複数の無線ＬＡＮアクセスポイント（３−１〜３−ｎ）に対応付けて地図データベース（１５）に格納する。
（ｂ）ステップ（Ｓ２）にて、第１無線ＬＡＮステーション（１）は、地図データベース（１５）を参照して、無線ＬＡＮアクセスポイント群の中から、最適無線ＬＡＮアクセスポイント（３−１）を選択する。
【００１８】
本発明（第７実施形態）の無線ＬＡＮアクセスポイント自動接続方法において、第１無線ＬＡＮステーション（１）は、複数の無線ＬＡＮアクセスポイント（３−１〜３−ｎ）のサービスエリアに存在しないときに（Ｓ１１−ＮＯ、Ｓ１２）、（ａ）ステップ（Ｓ１）と（ｂ）ステップ（Ｓ２）とを実行する。第１無線ＬＡＮステーション（１）は、複数の無線ＬＡＮアクセスポイント（３−１〜３−ｎ）のサービスエリアに存在するときに（Ｓ１３−ＹＥＳ、Ｓ１４−ＹＥＳ、Ｓ１５）、（ｃ）ステップ（Ｓ４）を実行する。
【００１９】
本発明（第１実施形態〜第７実施形態）の無線ＬＡＮアクセスポイント自動接続方法において、第１実施形態〜第７実施形態に記載の電波は、ＧＰＳ衛星（１５０）と通信を行うときに用いられる。
【００２０】
本発明（第８実施形態）の無線ＬＡＮアクセスポイント自動接続方法において、第１実施形態〜第５実施形態、第７実施形態に記載の電波は、ＰＨＳ通信（４−１〜４−ｍ、５）を行うときに用いられる。
【００２１】
本発明（第１実施形態〜第８実施形態）の無線ＬＡＮアクセスポイント自動接続方法において、（ｄ）ステップ（Ｓ４）にて、通信が行われたときに、無線通信網（１００）に接続された複数のプロバイダの中から、１つのプロバイダを検索し、プロバイダから最新の地図データ（２０）をダウンロードする。
【００２２】
本発明（第１実施形態〜第８実施形態）の無線ＬＡＮアクセスポイント自動接続方法において、複数の無線ＬＡＮアクセスポイント（３−１〜３−ｎ）には、ＱｏＳ（Ｑｕａｌｉｔｙ  ｏｆ  Ｓｅｒｖｉｃｅ）が確保できる使用が事前に予約されている。
（ｃ）のステップ（Ｓ４）にて、ＱｏＳが保証された通信を行う。
【００２３】
本発明（第１実施形態〜第８実施形態）の無線ＬＡＮアクセスポイント自動接続方法において、地図データ（２０）は、複数の無線ＬＡＮアクセスポイント（３−１〜３−ｎ）と複数の無線ＬＡＮアクセスポイント（３−１〜３−ｎ）の設置位置（２１）と接続設定データ（２２）と複数の無線ＬＡＮアクセスポイント（３−１〜３−ｎ）に近隣する建物に関するサービス情報（４０）とを対応付ける。
（ｂ）ステップ（Ｓ２）にて、地図データベース（１５）を参照して、複数の無線ＬＡＮアクセスポイント（３−１〜３−ｎ）のうちの自己の位置に最も近い無線ＬＡＮアクセスポイント（３−１）のサービス情報（４０）を表示する。
【００２４】
本発明（第１実施形態〜第８実施形態）の無線ＬＡＮアクセスポイント自動接続方法において、（ｃ）ステップ（Ｓ４）にて、相手先（４１）と相手先に関する相手先情報（４２、４３、４４）とキーワード（４５）とを対応付ける通信テーブル（１８）を参照し、通信を行ったときに得られた情報にキーワード（４５）が含まれる場合、キーワード（４５）に対応付けられた相手先（４１）に自己の位置を通知する。
【００２５】
本発明の無線ＬＡＮステーション（１）は、他の無線ＬＡＮステーション（２）と通信を行うときに、無線通信網（１００）に接続された複数の無線ＬＡＮアクセスポイント（３−１〜３−ｎ）のうちの最適無線ＬＡＮアクセスポイント（３−１）に自動的に接続するものである。
【００２６】
本発明（第１実施形態）の無線ＬＡＮステーション（１）は、計測部（１１、１７）と、地図データベース（１５）と、制御部（１２）と、通信部（１３）とを具備する。地図データベース（１５）には地図データ（２０）が格納されている。地図データ（２０）は、複数の無線ＬＡＮアクセスポイント（３−１〜３−ｎ）と、複数の無線ＬＡＮアクセスポイント（３−１〜３−ｎ）の設置位置（２１）と、複数の無線ＬＡＮアクセスポイント（３−１〜３−ｎ）に通信を行うときに必要な接続設定データ（２２）とを対応付ける。
計測部（１１、１７）は、電波を用いて自己の位置を計測する。
制御部（１２）は、地図データベース（１５）を参照して、複数の無線ＬＡＮアクセスポイント（３−１〜３−ｎ）の中から、自己の位置に最も近い最適無線ＬＡＮアクセスポイント（３−１）を選択する。
通信部（１３）は、最適無線ＬＡＮアクセスポイント（３−１）の接続設定データ（２２）に基づいて通信を行う。通信が行われたときに、通信部（１３）は、無線通信網（１００）に接続されたプロバイダから最新の地図データ（２０）をダウンロードし、最新の地図データ（２０）を地図データ（２０）として地図データベース（１５）に格納する。
【００２７】
本発明（第６実施形態）の無線ＬＡＮステーション（１）は、計測部（１１）と、地図データベース（１５）と、制御部（１２）と、通信部（１３）とを具備する。地図データベース（１５）には地図データ（２０）が格納されている。地図データ（２０）は、複数の無線ＬＡＮアクセスポイント（３−１〜３−ｎ）と、複数の無線ＬＡＮアクセスポイント（３−１〜３−ｎ）に通信を行うときに必要な接続設定データ（２２）と、複数の無線ＬＡＮアクセスポイント（３−１〜３−ｎ）の許容伝送距離（２３）とを対応付ける。
計測部（１１）は、電波を用いて自己の位置と複数の無線ＬＡＮアクセスポイント（３−１〜３−ｎ）の設置位置とを計測し、自己の位置から設置位置までの距離を算出する。
選択部（１２）は、地図データベース（１５）を参照して、複数の無線ＬＡＮアクセスポイント（３−１〜３−ｎ）の中から、距離が許容伝送距離（２３）を超えず且つ自己の位置に最も近い最適無線ＬＡＮアクセスポイント（３−１）を選択する。
通信部（１３）は、最適無線ＬＡＮアクセスポイント（３−１）の接続設定データ（２２）に基づいて通信を行う。通信が行われたときに、通信部（１３）は、無線通信網（１００）に接続されたプロバイダから最新の地図データ（２０）をダウンロードし、最新の地図データ（２０）を地図データ（２０）として地図データベース（１５）に格納する。
【００２８】
本発明（第１実施形態）の無線ＬＡＮステーション（１）は、更に、設定テーブルと、設定部（１２）とを具備する。
設定部（１２）は、最適無線ＬＡＮアクセスポイント（３−１）の接続設定データ（２２）を設定テーブル（１６）に設定する。
通信部（１３）は、設定テーブル（１６）を参照して通信を行う。
【００２９】
本発明（第２実施形態）の無線ＬＡＮステーション（１）において、地図データベース（１５）には、ユーザにより設定された設定情報（３０）が更に格納されている。設定情報（３０）は、複数の無線ＬＡＮアクセスポイント（３−１〜３−ｎ）の中から、予め料金設定された無線ＬＡＮアクセスポイント群を制御部（１２）に優先的に選択させる情報である。
制御部（１２）は、地図データベース（１５）を参照して、無線ＬＡＮアクセスポイント群の中から、最適無線ＬＡＮアクセスポイント（３−１）を選択する。
【００３０】
本発明（第３実施形態）の無線ＬＡＮステーション（１）において、地図データベース（１５）には、ユーザにより設定された設定情報（３０）が更に格納されている。設定情報（３０）は、複数の無線ＬＡＮアクセスポイント（３−１〜３−ｎ）のサービスエリアの中から、予め決められたサービスエリア群を制御部（１２）に優先的に選択させる情報である。
制御部（１２）は、地図データベース（１５）を参照して、サービスエリア群に設置された無線ＬＡＮアクセスポイントの中から、最適無線ＬＡＮアクセスポイント（３−１）を選択する。
【００３１】
本発明（第４実施形態）の無線ＬＡＮステーション（１）において、地図データベース（１５）には、ユーザにより設定された設定情報（３０）が更に格納されている。設定情報（３０）は、通信部（１３）が複数の無線ＬＡＮアクセスポイント（３−１〜３−ｎ）から受ける受信電波の電界強度の中から、設定電界強度よりも強い電界強度である受信電波を送信した無線ＬＡＮアクセスポイント群を制御部（１２）に優先的に選択させる情報である。
制御部（１２）は、地図データベース（１５）を参照して、無線ＬＡＮアクセスポイント群の中から、最適無線ＬＡＮアクセスポイント（３−１）を選択する。
【００３２】
本発明（第４実施形態）の無線ＬＡＮステーション（１）において、地図データベース（１５）には、ユーザにより設定された設定情報（３０）が更に格納されている。設定情報（３０）は、通信部（１３）が複数の無線ＬＡＮアクセスポイント（３−１〜３−ｎ）から受ける受信電波の電界強度の中から、設定電界強度よりも強い電界強度である受信電波を送信した無線ＬＡＮアクセスポイント群を制御部（１２）に優先的に選択させる情報である。
通信部（１３）は、複数の無線ＬＡＮアクセスポイント（３−１〜３−ｎ）と前回通信を行ったときの電界強度を複数の無線ＬＡＮアクセスポイント（３−１〜３−ｎ）に対応付けて地図データベース（１５）に格納する。
制御部（１２）は、地図データベース（１５）を参照して、無線ＬＡＮアクセスポイント群の中から、最適無線ＬＡＮアクセスポイント（３−１）を選択する。
【００３３】
本発明（第５実施形態）の無線ＬＡＮステーション（１）において、地図データベース（１５）には、ユーザにより設定された設定情報（３０）が更に格納されている。設定情報（３０）は、複数の無線ＬＡＮアクセスポイント（３−１〜３−ｎ）のトラフィック量（３５）の中から、設定トラフィック量よりも低いトラフィック量（３５）である無線ＬＡＮアクセスポイント群を制御部（１２）に優先的に選択させる情報である。
制御部（１２）は、地図データベース（１５）を参照して、無線ＬＡＮアクセスポイント群の中から、最適無線ＬＡＮアクセスポイント（３−１）を選択する。
【００３４】
本発明（第５実施形態）の無線ＬＡＮステーション（１）において、地図データベース（１５）には、ユーザにより設定された設定情報（３０）が更に格納されている。設定情報（３０）は、複数の無線ＬＡＮアクセスポイント（３−１〜３−ｎ）のトラフィック量（３５）の中から、設定トラフィック量よりも低いトラフィック量（３５）である無線ＬＡＮアクセスポイント群を制御部（１２）に優先的に選択させる情報である。
通信部（１３）は、複数の無線ＬＡＮアクセスポイント（３−１〜３−ｎ）と前回通信を行ったときのトラフィック量（３５）を複数の無線ＬＡＮアクセスポイント（３−１〜３−ｎ）に対応付けて地図データベース（１５）に格納する。制御部（１２）は、地図データベース（１５）を参照して、無線ＬＡＮアクセスポイント群の中から、最適無線ＬＡＮアクセスポイント（３−１）を選択する。
【００３５】
本発明（第７実施形態）の無線ＬＡＮステーション（１）は、更に、電源部（１４）を具備する。電源部（１４）は、計測部（１１、１７）と制御部（１２）と通信部（１３）とに電源を供給する。
複数の無線ＬＡＮアクセスポイント（３−１〜３−ｎ）のサービスエリアに存在しないときに、制御部（１２）は、通信部（１３）に供給される電源が停止されるように電源部（１４）を制御する。計測部（１１、１７）は、電波を用いて自己の位置を計測し、制御部（１２）は、地図データベース（１５）を参照して、複数の無線ＬＡＮアクセスポイント（３−１〜３−ｎ）の中から、最適無線ＬＡＮアクセスポイント（３−１）を選択する。
複数の無線ＬＡＮアクセスポイント（３−１〜３−ｎ）のサービスエリアに存在するときに、制御部（１２）は、通信部（１３）に電源が供給されるように電源部（１４）を制御する。通信部（１３）は、最適無線ＬＡＮアクセスポイント（３−１）の接続設定データ（２２）に基づいて通信を行う。
【００３６】
本発明（第１実施形態〜第７実施形態）の無線ＬＡＮステーション（１）において、第１実施形態〜第７実施形態に記載の電波は、ＧＰＳ衛星（１５０）と通信を行うときに用いられる。
【００３７】
本発明（第８実施形態）の無線ＬＡＮステーションにおいて、第１実施形態〜第５実施形態、第７実施形態に記載の電波は、ＰＨＳ通信（４−１〜４−ｍ、５）を行うときに用いられる。
【００３８】
本発明（第１実施形態〜第８実施形態）の無線ＬＡＮステーション（１）において、通信が行われたときに、通信部（１３）は、無線通信網（１００）に接続された複数のプロバイダの中から、１つのプロバイダを検索し、プロバイダから最新の地図データ（２０）をダウンロードする。
【００３９】
本発明（第１実施形態〜第８実施形態）の無線ＬＡＮステーション（１）において、複数の無線ＬＡＮアクセスポイント（３−１〜３−ｎ）には、ＱｏＳ（Ｑｕａｌｉｔｙ  ｏｆ  Ｓｅｒｖｉｃｅ）が確保できる使用が事前に予約されている。
通信部（１３）は、ＱｏＳが保証された通信を行う。
【００４０】
本発明（第１実施形態〜第８実施形態）の無線ＬＡＮステーション（１）において、地図データ（２０）は、複数の無線ＬＡＮアクセスポイント（３−１〜３−ｎ）と複数の無線ＬＡＮアクセスポイント（３−１〜３−ｎ）の設置位置（２１）と接続設定データ（２２）と複数の無線ＬＡＮアクセスポイント（３−１〜３−ｎ）に近隣する建物に関するサービス情報（４０）とを対応付ける。
本発明（第１実施形態〜第８実施形態）の無線ＬＡＮステーション（１）は、更に、表示制御部（１２）を具備する。表示制御部（１２）は、地図データベース（１５）を参照して、複数の無線ＬＡＮアクセスポイント（３−１〜３−ｎ）のうちの自己の位置に最も近い無線ＬＡＮアクセスポイント（３−１）のサービス情報（４０）を表示する。
【００４１】
本発明（第１実施形態〜第８実施形態）の無線ＬＡＮステーション（１）は、更に、通信テーブル（１８）を具備する。通信テーブル（１８）は、相手先（４１）と相手先に関する相手先情報（４２、４３、４４）とキーワード（４５）とを対応付ける。
通信部（１３）は、通信テーブル（１８）を参照し、通信を行ったときに得られた情報にキーワード（４５）が含まれる場合、キーワード（４５）に対応付けられた相手先（４１）に自己の位置を通知する。
【００４２】
【発明の実施の形態】
添付図面を参照して、本発明による無線ＬＡＮアクセスポイント自動接続方法の実施の形態を以下に説明する。
【００４３】
（第１実施形態）
本発明の無線ＬＡＮアクセスポイント自動接続方法は、図１に示されるような無線ＬＡＮアクセスポイント自動接続システムに適用される。この無線ＬＡＮアクセスポイント自動接続システムは、無線ＬＡＮ（Ｌｏｃａｌ  Ａｒｅａ  Ｎｅｔｗｏｒｋ）ステーション１、２、複数の無線ＬＡＮアクセスポイント（ＡＰ）３−１〜３−ｎ、ＧＰＳ（Ｇｌｏｂａｌ  Ｐｏｓｉｔｉｏｎｉｎｇ  Ｓｙｓｔｅｍ）衛星１５０、複数のプロバイダを具備する。ｎは１以上の整数である。複数のプロバイダとしてプロバイダ６−１、６−２とする。無線ＬＡＮステーション１、２、複数の無線ＬＡＮアクセスポイント３−１〜３−ｎ、複数のプロバイダ６−１、６−２には、無線ＬＡＮに適用されるネットワークである無線通信網１００が接続されている。複数のプロバイダ６−１、６−２と無線ＬＡＮステーション１、２は互いに提携している。
【００４４】
無線ＬＡＮステーション１、２は、無線通信網１００を介して無線ＬＡＮステーション２、１と通信（無線ＬＡＮ通信）を行うときに、無線通信網１００に接続された複数の無線ＬＡＮアクセスポイント（ＡＰ）３−１〜３−ｎのうちの最適無線ＬＡＮアクセスポイントに自動的に接続する。無線ＬＡＮステーション１、２は、自己の位置を計測するときに、電波を用いてＧＰＳ衛星１５０と通信する。
【００４５】
図２は、無線ＬＡＮステーション１、２の構成を示す。無線ＬＡＮステーション１、２は、ＧＰＳ（計測部）１１、制御部１２、無線ＬＡＮデバイス（通信部）１３とを具備する。制御部１２は、入力装置（図示しない）、表示装置（図示しない）とを含み、地図データベース１５、通信テーブル１８を有する。無線ＬＡＮデバイス１３は、設定テーブル１６を有する。電源部１４は、ＧＰＳ１１と制御部１２と無線ＬＡＮデバイス１３とに電源を供給する。
【００４６】
図３は、通信テーブル１８に格納される情報（データ）を示す。通信テーブル１８には、ユーザが通信をする相手先の氏名（名称）４１、相手先の電話番号４２、相手先の電子メールアドレス４３、相手先のファックス番号（ファクシミリ番号）４４、キーワード４５を対応付ける情報が複数格納されている。ユーザが無線ＬＡＮステーション１を使用している場合、通信テーブル１８に格納されている相手先としては、無線ＬＡＮステーション２のユーザ、複数のプロバイダ６−１、６−２等が挙げられる。
無線ＬＡＮステーション１、２のユーザは、無線ＬＡＮステーション１を用いて、通信（電話、電子メール、インターネット）を利用することができる。例えば、無線ＬＡＮステーション１のユーザがその入力装置を操作したとき、その制御部１２は、通信テーブル１８に格納された情報をその表示装置に表示する。表示装置に表示された複数の情報（名称４１、電話番号４２、電子メールアドレス４３、ファックス番号４４）の中から１つの情報（例えば、無線ＬＡＮステーション２のユーザの名称４１、電話番号４２、電子メールアドレス４３、ファックス番号４４）を無線ＬＡＮステーション１のユーザが選択し、その制御部１２は、選択された情報で相手先（例示：無線ＬＡＮステーション２）と通信が行われるように無線ＬＡＮデバイス１３を制御する。
【００４７】
図４は、地図データベース１５に格納される情報（データ）を示す。地図データベース１５には、地図データ２０が格納されている。地図データ２０は、複数の無線ＬＡＮアクセスポイント３−１〜３−ｎと、複数の無線ＬＡＮアクセスポイント３−１〜３−ｎの設置位置２１と、複数の無線ＬＡＮアクセスポイント３−１〜３−ｎに通信を行うときに（接続するのに）必要な接続設定データ２２と、複数の無線ＬＡＮアクセスポイント３−１〜３−ｎに近隣する建物に関するサービス情報４０を対応付ける。
複数の無線ＬＡＮアクセスポイント３−１〜３−ｎには、ＱｏＳ（Ｑｕａｌｉｔｙ  ｏｆ  Ｓｅｒｖｉｃｅ）が確保できる使用が無線ＬＡＮステーション１、２によって事前に予約される。
無線ＬＡＮアクセスポイント３−１〜３−ｎの接続設定データ２２は、無線ＬＡＮアクセスポイント３−１〜３−ｎの識別子、無線ＬＡＮアクセスポイント３−１〜３−ｎに接続するための情報（暗号化）を含む。
サービス情報４０において、無線ＬＡＮアクセスポイント３−１〜３−ｎに近隣する建物とは、商店、駅、病院、学校等を含む。商店である場合、サービス情報４０は、例えば、商店に展示された商品の売りだしセールが挙げられる。駅である場合、サービス情報４０は、例えば、駅周辺（駅から半径１００ｍ等）の地図が挙げられる。
【００４８】
複数のプロバイダ６−１、６−２は、無線ＬＡＮステーション１、２からの要求により、最新の地図データ２０を提供する。無線ＬＡＮステーション１の無線ＬＡＮデバイス１３は、ネットワーク上で（無線通信網１００上で）複数のプロバイダ６−１、６−２の中から、１つのプロバイダを選択（検索）し、１つのプロバイダから最新の地図データ２０をダウンロードする。無線ＬＡＮステーション１の無線ＬＡＮデバイス１３は、地図データ２０を更新するために、地図データベース１５に格納されている地図データ２０に代えて、ダウンロードした最新の地図データ２０を地図データベース１５に格納する。
【００４９】
次に、本発明の第１実施形態の無線ＬＡＮアクセスポイント自動接続方法に適用される無線ＬＡＮアクセスポイント自動接続システムの動作を説明する。
【００５０】
図５に示されるように、無線ＬＡＮステーション１のＧＰＳ１１は、電波を用いてＧＰＳ衛星１５０と通信して自己の位置を計測する（ステップＳ１）。
【００５１】
無線ＬＡＮステーション１の制御部１２は、その地図データベース１５を参照して、複数の無線ＬＡＮアクセスポイント３−１〜３−ｎの中から、そのＧＰＳ１１により計測された自己の位置に最も近い最適無線ＬＡＮアクセスポイントを選択する（ステップＳ２）。最適無線ＬＡＮアクセスポイントを無線ＬＡＮアクセスポイント３−１とする。このステップＳ２にて、その制御部１２は、その地図データベース１５を参照して、複数の無線ＬＡＮアクセスポイント３−１〜３−ｎのうちの自己の位置に最も近い無線ＬＡＮアクセスポイント３−１のサービス情報４０を表示してユーザに通知する。
【００５２】
無線ＬＡＮステーション１の制御部１２は、最適無線ＬＡＮアクセスポイント３−１の接続設定データ２２に含まれる識別子と暗号化とを、その設定テーブル１６に設定する（ステップＳ３）。
【００５３】
無線ＬＡＮステーション１の無線ＬＡＮデバイス１３は、設定テーブル１６を参照して（最適無線ＬＡＮアクセスポイント３−１の接続設定データ２２に基づいて）、無線ＬＡＮステーション２と通信を行う（ステップＳ４）。
ステップＳ４にて無線ＬＡＮステーション１が無線ＬＡＮステーション２と通信を行ったとき、無線ＬＡＮステーション１の無線ＬＡＮデバイス１３は、ネットワーク上でプロバイダ６−１又はプロバイダ６−２を検索し、最新の地図データ２０をダウンロードして更新（地図データベース１５に格納）することができる。
また、複数の無線ＬＡＮアクセスポイント３−１〜３−ｎにＱｏＳが確保できる使用が事前に予約されているため、ステップＳ４にて無線ＬＡＮステーション１は、ローミング（前回設定した無線ＬＡＮアクセスポイントから今回設定する無線ＬＡＮアクセスポイント３−１に切り替える）後であっても、ＱｏＳが保証された通信を行うことができる。
また、ステップＳ４にて無線ＬＡＮステーション１が無線ＬＡＮステーション２と通信を行ったとき、無線ＬＡＮステーション１の無線ＬＡＮデバイス１３は、通信テーブル１８を参照し、通信を行ったときに得られた情報にキーワード４５が含まれる場合、キーワード４５に対応付けられた相手先４１に自己の位置を、電子メール、電話、ファックスのうちの少なくとも１つによって通知する。例えば、上述のキーワード４５が、地震、津波、雪崩、誘拐、徘徊等の事件に関する情報であるものとする。通信を行ったときに得られた情報が、例えば現在インターネットで公開されたニュースであり、キーワード４５に対応付けられた相手先４１が、例えば無線ＬＡＮステーション１を所有するユーザの親であり、そのニュースに上述の事件が含まれている場合、無線ＬＡＮステーション１を所有するユーザは、上述の事件があった際、その親に自己の位置を知らせることができる。
【００５４】
このように、本発明の第１実施形態の無線ＬＡＮアクセスポイント自動接続方法では、無線ＬＡＮステーション１が最適無線ＬＡＮアクセスポイント３−１（最適無線ＬＡＮアクセスポイント３−１の接続設定データ２２）を自動的に設定するため、ユーザは、その接続設定データ２２に含まれる識別子や暗号化を考慮しなくてもよい。
本発明の第１実施形態の無線ＬＡＮアクセスポイント自動接続方法では、無線ＬＡＮステーション１のＧＰＳ１１がＧＰＳ衛星１５０と通信するときの通信方式（衛星通信）と、無線ＬＡＮステーション１の無線ＬＡＮデバイス１３が無線ＬＡＮステーション２と通信を行うときの通信方式（無線ＬＡＮ通信）とが異なる。このため、複数の無線ＬＡＮアクセスポイント３−１〜３−ｎのサービスエリアに無線ＬＡＮステーション１が存在するか否かに関わらず、無線ＬＡＮステーション１が最適無線ＬＡＮアクセスポイント３−１（最適無線ＬＡＮアクセスポイント３−１の接続設定データ２２）を設定することができ、ローミングを素早く行うことができる。これにより、サービスエリアに無線ＬＡＮステーション１が存在するときに、ユーザは、ただちに無線ＬＡＮステーション１を用いて無線ＬＡＮ通信を行うことができる。
【００５５】
（第２実施形態）
本発明の第２実施形態の無線ＬＡＮアクセスポイント自動接続方法に適用される無線ＬＡＮアクセスポイント自動接続システムにおいて、前述と重複する説明を省略する。
図４は、地図データベース１５に格納される情報（データ）を示す。第２実施形態では、地図データベース１５に、第１実施形態の地図データ２０に加えて、ユーザにより設定された設定情報３０が更に格納されている。設定情報３０は、複数の無線ＬＡＮアクセスポイント３−１〜３−ｎの中から、予め料金設定された無線ＬＡＮアクセスポイント群を制御部１２に優先的に選択させる情報である。無線ＬＡＮアクセスポイント群の個数ｘは、１≦ｘ≦ｎで表される。
【００５６】
次に、第２実施形態における無線ＬＡＮアクセスポイント自動接続システムの動作を説明する。第２実施形態では、図５に示されるステップＳ２が第１実施形態と異なる。
【００５７】
まず、ステップＳ１の後のステップＳ２にて、無線ＬＡＮステーション１の制御部１２は、その地図データベース１５を参照して、複数の無線ＬＡＮアクセスポイント３−１〜３−ｎの中から、予め料金設定された無線ＬＡＮアクセスポイント群を選択する。その制御部１２は、その地図データベース１５を参照して、無線ＬＡＮアクセスポイント群の中から、そのＧＰＳ１１により計測された自己の位置に最も近い最適無線ＬＡＮアクセスポイント３−１を選択する。その後、ステップＳ３、Ｓ４が行われる。
【００５８】
このように、本発明の第２実施形態の無線ＬＡＮアクセスポイント自動接続方法では、無線ＬＡＮステーション１が、ユーザが希望する無線ＬＡＮアクセスポイント（予め料金設定された無線ＬＡＮアクセスポイント群）を優先して選択し、選択された無線ＬＡＮアクセスポイント（無線ＬＡＮアクセスポイント群）の中から、最適無線ＬＡＮアクセスポイント３−１（最適無線ＬＡＮアクセスポイント３−１の接続設定データ２２）を設定する。このため、第１実施形態の効果に加えて、ユーザのニーズにあった無線ＬＡＮアクセスポイントの設定／接続を行うことができる。
【００５９】
（第３実施形態）
本発明の第３実施形態の無線ＬＡＮアクセスポイント自動接続方法に適用される無線ＬＡＮアクセスポイント自動接続システムにおいて、前述と重複する説明を省略する。
図６に示されるように、第３実施形態では、地図データベース１５に、第１実施形態の地図データ２０に加えて、ユーザにより設定された設定情報３０が更に格納されている。この設定情報３０は、複数の無線ＬＡＮアクセスポイント３−１〜３−ｎのサービスエリアの中から、予め決められたサービスエリア群を制御部１２に優先的に選択させる情報である。無線ＬＡＮアクセスポイント群の個数ｘは、１≦ｘ≦ｎで表される。
【００６０】
次に、第３実施形態における無線ＬＡＮアクセスポイント自動接続システムの動作を説明する。第３実施形態では、図５に示されるステップＳ２が第１実施形態と異なる。
【００６１】
まず、ステップＳ１の後のステップＳ２にて、無線ＬＡＮステーション１の制御部１２は、その地図データベース１５を参照して、複数の無線ＬＡＮアクセスポイント３−１〜３−ｎのサービスエリアの中から、予め決められたサービスエリア群を選択する。その制御部１２は、その地図データベース１５を参照して、サービスエリア群に設置された無線ＬＡＮアクセスポイントの中から、そのＧＰＳ１１により計測された自己の位置に最も近い最適無線ＬＡＮアクセスポイント３−１を選択する。その後、ステップＳ３、Ｓ４が行われる。
第３実施形態では、複数の無線ＬＡＮアクセスポイント３−１〜３−ｎのうちの自己の位置に最も近い無線ＬＡＮアクセスポイントがあっても、その無線ＬＡＮアクセスポイントが予め決められたサービスエリア群に設置されていない場合、無線ＬＡＮステーション１の制御部１２は、その無線ＬＡＮアクセスポイントを選択しない。
【００６２】
このように、本発明の第３実施形態の無線ＬＡＮアクセスポイント自動接続方法では、無線ＬＡＮステーション１が、ユーザが希望するサービスエリア（予め決められたサービスエリア群）を優先して選択し、選択されたサービスエリア（サービスエリア群）に設置された無線ＬＡＮアクセスポイントの中から、最適無線ＬＡＮアクセスポイント３−１（最適無線ＬＡＮアクセスポイント３−１の接続設定データ２２）を設定する。このため、第１実施形態の効果に加えて、ユーザのニーズにあった無線ＬＡＮアクセスポイントの設定／接続を行うことができる。
【００６３】
（第４実施形態）
本発明の第４実施形態の無線ＬＡＮアクセスポイント自動接続方法に適用される無線ＬＡＮアクセスポイント自動接続システムにおいて、前述と重複する説明を省略する。
図６に示されるように、第４実施形態では、地図データベース１５に、第１実施形態の地図データ２０に加えて、ユーザにより設定された設定情報３０が更に格納されている。この設定情報３０は、複数の無線ＬＡＮアクセスポイント３−１〜３−ｎから受ける受信電波の電界強度の中から、設定電界強度よりも強い電界強度である受信電波を送信した無線ＬＡＮアクセスポイント群を制御部１２に優先的に選択させる情報である。無線ＬＡＮアクセスポイント群の個数ｘは、１≦ｘ≦ｎで表される。
【００６４】
次に、第４実施形態における無線ＬＡＮアクセスポイント自動接続システムの動作を説明する。第４実施形態では、図５に示されるステップＳ２が第１実施形態と異なる。
【００６５】
まず、ステップＳ１の後のステップＳ２にて、無線ＬＡＮステーション１の制御部１２は、その地図データベース１５を参照して、その無線ＬＡＮデバイス１３が複数の無線ＬＡＮアクセスポイント３−１〜３−ｎから受ける受信電波の電界強度の中から、設定電界強度よりも強い電界強度である受信電波を送信した無線ＬＡＮアクセスポイント群を選択する。その制御部１２は、その地図データベース１５を参照して、無線ＬＡＮアクセスポイント群の中から、そのＧＰＳ１１により計測された自己の位置に最も近い最適無線ＬＡＮアクセスポイント３−１を選択する。その後、ステップＳ３、Ｓ４が行われる。
【００６６】
次に、第４実施形態における無線ＬＡＮアクセスポイント自動接続システムの他の動作を説明する。
まず、ステップＳ４にて、無線ＬＡＮステーション１の無線ＬＡＮデバイス１３は、その制御部１２により前回選択された最適無線ＬＡＮアクセスポイント（複数の無線ＬＡＮアクセスポイント３−１〜３−ｎ）と通信を行ったときの電界強度をその最適無線ＬＡＮアクセスポイント（複数の無線ＬＡＮアクセスポイント３−１〜３−ｎ）に対応付けて地図データベース１５に格納する。
【００６７】
ステップＳ１にて、無線ＬＡＮステーション１のＧＰＳ１１は、電波を用いてＧＰＳ衛星１５０と通信して自己の位置を計測する。
ステップＳ２にて、無線ＬＡＮステーション１の制御部１２は、その地図データベース１５を参照して、その無線ＬＡＮデバイス１３が複数の無線ＬＡＮアクセスポイント３−１〜３−ｎから受ける受信電波の電界強度の中から、設定電界強度よりも強い電界強度である受信電波を送信した無線ＬＡＮアクセスポイント群を選択する。その制御部１２は、その地図データベース１５を参照して、無線ＬＡＮアクセスポイント群の中から、そのＧＰＳ１１により計測された自己の位置に最も近い最適無線ＬＡＮアクセスポイント３−１を選択する。
無線ＬＡＮステーション１の制御部１２は、最適無線ＬＡＮアクセスポイント３−１の接続設定データ２２に含まれる識別子と暗号化とを、その設定テーブル１６に設定する（ステップＳ３）。
ステップＳ４にて、無線ＬＡＮステーション１の無線ＬＡＮデバイス１３は、設定テーブル１６を参照して（最適無線ＬＡＮアクセスポイント３−１の接続設定データ２２に基づいて）通信を行い、その制御部１２により今回選択された最適無線ＬＡＮアクセスポイント３−１と通信を行ったときの電界強度を最適無線ＬＡＮアクセスポイント３−１に対応付けて地図データベース１５に格納する。
【００６８】
このように、本発明の第４実施形態の無線ＬＡＮアクセスポイント自動接続方法では、無線ＬＡＮステーション１が、ユーザが希望する無線ＬＡＮアクセスポイント（設定電界強度よりも強い電界強度である受信電波を送信した無線ＬＡＮアクセスポイント群）を優先して選択し、選択された無線ＬＡＮアクセスポイント（無線ＬＡＮアクセスポイント群）の中から、最適無線ＬＡＮアクセスポイント３−１（最適無線ＬＡＮアクセスポイント３−１の接続設定データ２２）を設定する。このため、第１実施形態の効果に加えて、ユーザのニーズにあった無線ＬＡＮアクセスポイントの設定／接続を行うことができる。
【００６９】
（第５実施形態）
本発明の第５実施形態の無線ＬＡＮアクセスポイント自動接続方法に適用される無線ＬＡＮアクセスポイント自動接続システムにおいて、前述と重複する説明を省略する。
図７は、地図データベース１５に格納される情報（データ）を示す。第５実施形態では、地図データベース１５に、第１実施形態の地図データ２０に加えて、ユーザにより設定された設定情報３０と、複数の無線ＬＡＮアクセスポイント３−１〜３−ｎのトラフィック量３５とが更に格納されている。この設定情報３０は、複数の無線ＬＡＮアクセスポイント３−１〜３−ｎのトラフィック量３５の中から、設定トラフィック量よりも低いトラフィック量３５である無線ＬＡＮアクセスポイント群を制御部１２に優先的に選択させる情報である。無線ＬＡＮアクセスポイント群の個数ｘは、１≦ｘ≦ｎで表される。
【００７０】
次に、第５実施形態における無線ＬＡＮアクセスポイント自動接続システムの動作を説明する。第５実施形態では、図５に示されるステップＳ２、Ｓ４が第１実施形態と異なる。
【００７１】
まず、ステップＳ１の後のステップＳ２にて、無線ＬＡＮステーション１の制御部１２は、その地図データベース１５を参照して、複数の無線ＬＡＮアクセスポイント３−１〜３−ｎのトラフィック量３５の中から、設定トラフィック量よりも低いトラフィック量３５である無線ＬＡＮアクセスポイント群を選択する。その制御部１２は、その地図データベース１５を参照して、無線ＬＡＮアクセスポイント群の中から、そのＧＰＳ１１により計測された自己の位置に最も近い最適無線ＬＡＮアクセスポイント３−１を選択する。その後、ステップＳ３、Ｓ４が行われる。
【００７２】
次に、第５実施形態における無線ＬＡＮアクセスポイント自動接続システムの他の動作を説明する。
まず、ステップＳ４にて、無線ＬＡＮステーション１の無線ＬＡＮデバイス１３は、その制御部１２により前回選択された最適無線ＬＡＮアクセスポイント（複数の無線ＬＡＮアクセスポイント３−１〜３−ｎ）と通信を行ったときのトラフィック量３５をその最適無線ＬＡＮアクセスポイント（複数の無線ＬＡＮアクセスポイント３−１〜３−ｎ）に対応付けて地図データベース１５に格納する。
【００７３】
ステップＳ１にて、無線ＬＡＮステーション１のＧＰＳ１１は、電波を用いてＧＰＳ衛星１５０と通信して自己の位置を計測する。
ステップＳ２にて、無線ＬＡＮステーション１の制御部１２は、その地図データベース１５を参照して、複数の無線ＬＡＮアクセスポイント３−１〜３−ｎのトラフィック量３５の中から、設定トラフィック量よりも低いトラフィック量３５である無線ＬＡＮアクセスポイント群を選択する。その制御部１２は、その地図データベース１５を参照して、無線ＬＡＮアクセスポイント群の中から、そのＧＰＳ１１により計測された自己の位置に最も近い最適無線ＬＡＮアクセスポイント３−１を選択する。
無線ＬＡＮステーション１の制御部１２は、最適無線ＬＡＮアクセスポイント３−１の接続設定データ２２に含まれる識別子と暗号化とを、その設定テーブル１６に設定する（ステップＳ３）。
ステップＳ４にて、無線ＬＡＮステーション１の無線ＬＡＮデバイス１３は、設定テーブル１６を参照して（最適無線ＬＡＮアクセスポイント３−１の接続設定データ２２に基づいて）通信を行い、その制御部１２により今回選択された最適無線ＬＡＮアクセスポイント３−１と通信を行ったときのトラフィック量３５を最適無線ＬＡＮアクセスポイント３−１に対応付けて地図データベース１５に格納する。
【００７４】
このように、本発明の第５実施形態の無線ＬＡＮアクセスポイント自動接続方法では、無線ＬＡＮステーション１が、ユーザが希望する無線ＬＡＮアクセスポイント（設定トラフィック量よりも低いトラフィック量３５である無線ＬＡＮアクセスポイント群）を優先して選択し、選択された無線ＬＡＮアクセスポイント（無線ＬＡＮアクセスポイント群）の中から、最適無線ＬＡＮアクセスポイント３−１（最適無線ＬＡＮアクセスポイント３−１の接続設定データ２２）を設定する。このため、第１実施形態の効果に加えて、ユーザのニーズにあった無線ＬＡＮアクセスポイントの設定／接続を行うことができる。
【００７５】
（第６実施形態）
本発明の第６実施形態の無線ＬＡＮアクセスポイント自動接続方法に適用される無線ＬＡＮアクセスポイント自動接続システムにおいて、前述と重複する説明を省略する。
図８に示されるように、複数の無線ＬＡＮアクセスポイント３−１〜３−ｎは、ＧＰＳ１０を備え、電波を用いてＧＰＳ衛星１５０と通信して、無線ＬＡＮアクセスポイント３−１〜３−ｎが設置された位置（設置位置）を計測する。
【００７６】
図９は、地図データベース１５に格納される情報（データ）を示す。第６実施形態では、地図データベース１５に、地図データ２０と、第２実施形態〜第４実施形態の設定情報３０とが格納されている。または、地図データベース１５に、地図データ２０と、第５実施形態の設定情報３０、複数の無線ＬＡＮアクセスポイント３−１〜３−ｎのトラフィック量３５とが更に格納されている。
地図データベース１５には、地図データ２０として、複数の無線ＬＡＮアクセスポイント３−１〜３−ｎの設置位置２１に代えて、複数の無線ＬＡＮアクセスポイント３−１〜３−ｎの許容伝送距離（最大伝送距離）２３が格納されている。すなわち、地図データ２０は、複数の無線ＬＡＮアクセスポイント３−１〜３−ｎと、複数の無線ＬＡＮアクセスポイント３−１〜３−ｎに通信を行うときに必要な接続設定データ２２と、複数の無線ＬＡＮアクセスポイント３−１〜３−ｎの許容伝送距離２３とを対応付ける。
【００７７】
次に、第６実施形態における無線ＬＡＮアクセスポイント自動接続システムの動作を説明する。第６実施形態では、図５に示されるステップＳ１、Ｓ２が第１実施形態〜第５実施形態と異なる。
【００７８】
ステップＳ１にて、無線ＬＡＮステーション１のＧＰＳ１１は、ＧＰＳ相対測位を行う。そのＧＰＳ１１は、電波を用いて、ＧＰＳ衛星１５０と通信して自己の位置を計測すると共に、複数の無線ＬＡＮアクセスポイント３−１〜３−ｎのＧＰＳ１０が計測した設定位置を収集する。そのＧＰＳ１１は、自己の位置から無線ＬＡＮアクセスポイント３−１〜３−ｎの設置位置２１までの距離（相対距離）を算出する。
上記のＧＰＳ相対測位よりも少ない誤差で相対距離を観測（計測・算出）するには、ディファレンシャルＧＰＳ測位（ＤＧＰＳ測位）、リアルタイムキネマティックＧＰＳ測位（ＲＴＫ−ＧＰＳ測位）を行うことが好ましい。
【００７９】
まず、ステップＳ１の後のステップＳ２にて、無線ＬＡＮステーション１の制御部１２は、その地図データベース１５を参照して、複数の無線ＬＡＮアクセスポイント３−１〜３−ｎの中から、そのＧＰＳ１１により算出された相対距離が無線ＬＡＮアクセスポイント３−１〜３−ｎの許容伝送距離２３を超えず且つ自己の位置に最も近い最適無線ＬＡＮアクセスポイント３−１を選択する。その後、ステップＳ３、Ｓ４が行われる。
【００８０】
このように、本発明の第６実施形態の無線ＬＡＮアクセスポイント自動接続方法では、第１実施形態と同様に、無線ＬＡＮステーション１のＧＰＳ１１がＧＰＳ衛星１５０（複数の無線ＬＡＮアクセスポイント３−１〜３−ｎ）と通信するときの通信方式（衛星通信）と、無線ＬＡＮステーション１の無線ＬＡＮデバイス１３が無線ＬＡＮステーション２と通信を行うときの通信方式（無線ＬＡＮ通信）とが異なる。このため、複数の無線ＬＡＮアクセスポイント３−１〜３−ｎのサービスエリアに無線ＬＡＮステーション１が存在するか否かに関わらず、無線ＬＡＮステーション１が最適無線ＬＡＮアクセスポイント３−１（最適無線ＬＡＮアクセスポイント３−１の接続設定データ２２）を設定することができ、ローミングを素早く行うことができる。これにより、サービスエリアに無線ＬＡＮステーション１が存在するときに、ユーザは、ただちに無線ＬＡＮステーション１を用いて無線ＬＡＮ通信を行うことができる。
【００８１】
（第７実施形態）
本発明の第７実施形態の無線ＬＡＮアクセスポイント自動接続方法に適用される無線ＬＡＮアクセスポイント自動接続システムにおいて、前述と重複する説明を省略する。
第７実施形態における無線ＬＡＮアクセスポイント自動接続システムの動作を説明する。第７実施形態では、複数の無線ＬＡＮアクセスポイント３−１〜３−ｎのサービスエリアに無線ＬＡＮステーション１が存在するか否かを判定しながら、図５に示されるステップＳ１〜Ｓ４を実行する。
【００８２】
図１０に示されるように、無線ＬＡＮステーション１の制御部１２は、サービスエリアに無線ＬＡＮステーション１が存在するか否かを判定する（ステップＳ１１）。ステップＳ１１では、その制御部１２は、その無線ＬＡＮデバイス１３が複数の無線ＬＡＮアクセスポイント３−１〜３−ｎからの電波（受信電波）を受けられないときに、サービスエリアに無線ＬＡＮステーション１が存在しない（無線圏外）と判定する。または、その制御部１２は、その無線ＬＡＮデバイス１３が複数の無線ＬＡＮアクセスポイント３−１〜３−ｎから受ける受信電波の電界強度が通信不能設定電界強度よりも弱い電界強度であるときに、サービスエリアに無線ＬＡＮステーション１が存在しないと判定する。通信不能設定電界強度は、設定電界強度よりも弱い電界強度であり、その無線ＬＡＮデバイス１３が通信を行うことが不可能な電界強度でもある。
【００８３】
サービスエリアに無線ＬＡＮステーション１が存在しないとき（ステップＳ１１−ＮＯ）、無線ＬＡＮステーション１の制御部１２は、その無線ＬＡＮデバイス１３に供給される電源が停止されるように電源部１４を制御する（ステップＳ１２）。ステップＳ１２では、図２に示されるように、制御部１２は、その無線ＬＡＮデバイス１３に供給される電源を停止するための停止信号４１を電源部１４に送信する。電源部１４は、停止信号４１に応じて、その無線ＬＡＮデバイス１３に供給される電源を停止する。その後、無線ＬＡＮステーション１は、ステップＳ１〜Ｓ３を実行する。
【００８４】
無線ＬＡＮステーション１の制御部１２は、ステップＳ２にて最適無線ＬＡＮアクセスポイント３−１を選択したときに、サービスエリアに無線ＬＡＮステーション１が存在するか否かを再度判定する（ステップＳ１３）。
サービスエリアに無線ＬＡＮステーション１が存在しないとき（ステップＳ１３−ＮＯ）、無線ＬＡＮステーション１は、再度、ステップＳ１〜Ｓ３を実行する。
【００８５】
サービスエリアに無線ＬＡＮステーション１が存在し、その無線ＬＡＮデバイス１３に供給される電源が停止しているとき（ステップＳ１１−ＹＥＳ、Ｓ１４−ＹＥＳ）、無線ＬＡＮステーション１の制御部１２は、その無線ＬＡＮデバイス１３に電源が供給されるように電源部１４を制御する（ステップＳ１５）。ステップＳ１５では、図２に示されるように、制御部１２は、その無線ＬＡＮデバイス１３に電源を供給するための供給信号４２を電源部１４に送信する。電源部１４は、供給信号４２に応じて、その無線ＬＡＮデバイス１３に電源を供給する。その後、無線ＬＡＮステーション１は、ステップＳ４を実行する。
【００８６】
一方、判定の結果、サービスエリアに無線ＬＡＮステーション１が存在するとき（ステップＳ１１−ＹＥＳ、Ｓ１３−ＹＥＳ、Ｓ１４−ＮＯ）、第１実施形態〜第６実施形態と同様に、無線ＬＡＮステーション１は、ステップＳ１〜Ｓ４を実行する。
【００８７】
このように、本発明の第７実施形態の無線ＬＡＮアクセスポイント自動接続方法では、無線ＬＡＮステーション１の制御部１２は、サービスエリアに無線ＬＡＮステーション１が存在しない（無線圏外）と判定したときに、その無線ＬＡＮデバイス１３に供給される電源が停止されるように電源部１４を制御し、その後、サービスエリアに無線ＬＡＮステーション１が存在している（無線圏内）と判定したときに、その無線ＬＡＮデバイス１３に電源が供給されるように電源部１４を制御する。このため、無線圏外のときに、無線ＬＡＮステーション１の電源部１４がＧＰＳ１１、制御部１２に供給する電源（消費電力）は、無線ＬＡＮステーション１の電源部１４がＧＰＳ１１、制御部１２、無線ＬＡＮデバイス１３に供給する電源（消費電力）に比べて低減される。
【００８８】
（第８実施形態）
本発明の第８実施形態の無線ＬＡＮアクセスポイント自動接続方法に適用される無線ＬＡＮアクセスポイント自動接続システムは、無線ＬＡＮステーション１、２、複数の無線ＬＡＮアクセスポイント（ＡＰ）３−１〜３−ｎ、複数のプロバイダ（プロバイダ６−１、６−２）、複数のセルステーション（ＣＳ）４−１〜４−ｍ、位置情報サーバ５を具備する。ｍは１以上の整数である。無線ＬＡＮステーション１、２、複数の無線ＬＡＮアクセスポイント３−１〜３−ｎ、複数のプロバイダ６−１、６−２には、無線ＬＡＮに適用されるネットワークである無線通信網１００が接続されている。無線ＬＡＮステーション１、２、複数のセルステーション４−１〜４−ｍ、位置情報サーバ５には、ＰＨＳ（Ｐｅｒｓｏｎａｌ  Ｈａｎｄｙｐｈｏｎｅ  Ｓｙｓｔｅｍ）に適用されるネットワークである無線通信網２００が接続されている。
【００８９】
本発明の第８実施形態の無線ＬＡＮアクセスポイント自動接続方法に適用される無線ＬＡＮアクセスポイント自動接続システムにおいて、前述と重複する説明を省略する。
図１１に示されるように、無線ＬＡＮステーション１、２は、自己の位置を計測するときに、電波を用いてＰＨＳ通信を行う。
位置情報サーバ５は、図示しないデータベースを備え、そのデータベースには、複数のセルステーション４−１〜４−ｍの設置位置が格納されている。
【００９０】
図１２は、無線ＬＡＮステーション１、２の構成を示す。無線ＬＡＮステーション１、２は、ＰＨＳデバイス（計測部）１７、制御部１２、無線ＬＡＮデバイス（通信部）１３とを具備する。すなわち、無線ＬＡＮステーション１、２は、ＧＰＳ（計測部）１１に代えて、ＰＨＳデバイス（計測部）１７を具備する。
【００９１】
次に、第８実施形態における無線ＬＡＮアクセスポイント自動接続システムの動作を説明する。第８実施形態では、図５、図１０に示されるステップＳ１が第１実施形態〜第５実施形態、第７実施形態と異なる。第８実施形態では、自己の位置を計測するときにＰＨＳデバイス１７を用いるため、第６実施形態に記載のステップＳ１〜Ｓ４は適用されない。
【００９２】
図５に示されるステップＳ１にて、無線ＬＡＮステーション１のＰＨＳデバイス１７は、電波を用いて位置情報サーバ５と通信するときに、複数のセルステーション４−１〜４−ｍのうちのセルステーション４−１に接続される。位置情報サーバ５は、無線ＬＡＮステーション１からの電波のより、図示しないデータベースを参照して、セルステーション４−１の設置位置を無線ＬＡＮステーション１に電波を用いて送信する。無線ＬＡＮステーション１のＰＨＳデバイス１７は、位置情報サーバ５からの電波により、セルステーション４−１の設置位置を自己の位置として計測する。
【００９３】
このように、本発明の第８実施形態の無線ＬＡＮアクセスポイント自動接続方法では、第１実施形態と同様に、無線ＬＡＮステーション１のＰＨＳデバイス１７が位置情報サーバ５と通信するときの通信方式（ＰＨＳ通信）と、無線ＬＡＮステーション１の無線ＬＡＮデバイス１３が無線ＬＡＮステーション２と通信を行うときの通信方式（無線ＬＡＮ通信）とが異なる。このため、複数の無線ＬＡＮアクセスポイント３−１〜３−ｎのサービスエリアに無線ＬＡＮステーション１が存在するか否かに関わらず、無線ＬＡＮステーション１が最適無線ＬＡＮアクセスポイント３−１（最適無線ＬＡＮアクセスポイント３−１の接続設定データ２２）を設定することができ、ローミングを素早く行うことができる。これにより、サービスエリアに無線ＬＡＮステーション１が存在するときに、ユーザは、ただちに無線ＬＡＮステーション１を用いて無線ＬＡＮ通信を行うことができる。
【００９４】
【発明の効果】
本発明の無線ＬＡＮアクセスポイント自動接続方法は、無線ＬＡＮアクセスポイントを自動的に設定／接続し且つローミングを素早く行うことができる。
本発明の無線ＬＡＮアクセスポイント自動接続方法は、ユーザが希望する無線ＬＡＮアクセスポイントを優先して自動的に設定／接続することができる。
本発明の無線ＬＡＮアクセスポイント自動接続方法は、消費電力を低減することができる。
【図面の簡単な説明】
【図１】本発明の無線ＬＡＮアクセスポイント自動接続方法に適用される無線ＬＡＮアクセスポイント自動接続システムの構成を示す。
【図２】本発明の無線ＬＡＮアクセスポイント自動接続方法に適用される無線ＬＡＮステーションの構成を示す。
【図３】本発明の無線ＬＡＮアクセスポイント自動接続方法に適用される電話帳テーブルに格納される情報（データ）を示す。
【図４】本発明の無線ＬＡＮアクセスポイント自動接続方法に適用される地図データベースに格納される情報（データ）を示す。
【図５】本発明の無線ＬＡＮアクセスポイント自動接続方法に適用される無線ＬＡＮアクセスポイント自動接続システムの動作を示す。
【図６】本発明の無線ＬＡＮアクセスポイント自動接続方法に適用される地図データベースに格納される情報（データ）を示す。
【図７】本発明の無線ＬＡＮアクセスポイント自動接続方法に適用される地図データベースに格納される情報（データ）を示す。
【図８】本発明の無線ＬＡＮアクセスポイント自動接続方法に適用される無線ＬＡＮアクセスポイント自動接続システムの構成を示す。
【図９】本発明の無線ＬＡＮアクセスポイント自動接続方法に適用される地図データベースに格納される情報（データ）を示す。
【図１０】本発明の無線ＬＡＮアクセスポイント自動接続方法に適用される無線ＬＡＮアクセスポイント自動接続システムの動作を示す。
【図１１】本発明の無線ＬＡＮアクセスポイント自動接続方法に適用される無線ＬＡＮアクセスポイント自動接続システムの構成を示す。
【図１２】本発明の無線ＬＡＮアクセスポイント自動接続方法に適用される無線ＬＡＮステーションの構成を示す。
【符号の説明】
１、２    無線ＬＡＮステーション
３−１〜３−ｎ    無線ＬＡＮアクセスポイント（ＡＰ）
４−１〜４−ｍ    セルステーション（ＣＳ）
５    位置情報サーバ
６−１、６−２    プロバイダ
１０    ＧＰＳ
１１    ＧＰＳ（計測部）
１２    制御部
１３    無線ＬＡＮデバイス（通信部）
１４    電源部
１５    地図データベース
１６    設定テーブル
１７    ＰＨＳデバイス（計測部）
１８    電話帳テーブル
２０    地図データ
２１    設置位置
２２    接続設定データ
２３    許容伝送距離（最大伝送距離）
３０    設定情報
３５    トラフィック量
４０    サービス情報
４１    名称
４２    電話番号
４３    電子メールアドレス
４４    ファックス番号（ファクシミリ番号）
４５    キーワード
１００    無線通信網
１５０    ＧＰＳ衛星
２００    無線通信網
【図１】
2004186762.tif 000003
【図２】
2004186762.tif 000004
【図３】
2004186762.tif 000005
【図４】
2004186762.tif 000006
【図５】
2004186762.tif 000007
【図６】
2004186762.tif 000008
【図７】
2004186762.tif 000009
【図８】
2004186762.tif 000010
【図９】
2004186762.tif 000011
【図１０】
2004186762.tif 000012
【図１１】
2004186762.tif 000013
【図１２】
2004186762.tif 000014